(57)【要約】      （修正有）【課題】アルキルエーテルサルフェートと流動化剤；アルキレンエーテルグリコール硫酸エステル塩を含むアニオン界面活性剤組成物の提供。【解決手段】（Ａ）ＲＯ（Ａ1Ｏ）mＨ（Ｒは炭素数９〜２４の直鎖、分岐鎖のアルキル基、アルケニル基、Ａ1は炭素数２〜４のアルキレン基、ｍは平均値で０〜１００）、カルボニル価が２μｍｏｌ／ｇ以下の化合物と、ＨＯ（Ａ2Ｏ）nＨ（式中、Ａ2は炭素数２〜４のアルキレン基、ｎは平均値で０．１〜１００）を、０〜５０℃で混合し、（Ｂ）（Ａ）工程の混合物を三酸化硫黄ガスで硫酸化し、（Ｃ）アルカリ金属化合物、アンモニア水で中和して、ＲＯ（Ａ1Ｏ）mＳＯ3Ｍ1（式中、Ｍ1はアルカリ金属、ＮＨ4）、ＺＯ（Ａ2Ｏ）nＳＯ3Ｍ2（Ｍ2はアルカリ金属、ＮＨ4、Ｚは水素原子、ＳＯ3Ｍ3（式中、Ｍ3はアルカリ金属、ＮＨ4、水素原子）、Ａ2及びｎは前記と同じ）で表される化合物および水を含むアニオン界面活性剤組成物の製造。【選択図】なし【特許請求の範囲】
【請求項１】
（Ａ）式（１）：
ＲＯ（Ａ1Ｏ）mＨ        （１）
（式中、Ｒは炭素数９〜２４の直鎖もしくは分岐鎖のアルキル基又はアルケニル基、Ａ1は炭素数２〜４のアルキレン基、ｍは平均値で０〜１００の数を示す）
で表され、カルボニル価が２μｍｏｌ／ｇ以下の化合物の１種以上と、式（２）：
ＨＯ（Ａ2Ｏ）nＨ        （２）
（式中、Ａ2は炭素数２〜４のアルキレン基、ｎは平均値で１〜１００の数を示す）
で表される化合物の１種以上とを、０〜５０℃の温度で混合する工程、
（Ｂ）前記（Ａ）工程で得られた混合物を三酸化硫黄ガスで硫酸化する工程、及び
（Ｃ）次いで、塩基性アルカリ金属化合物又はアンモニア水で中和処理する工程を含む、
少なくとも、式（３）：
ＲＯ（Ａ1Ｏ）mＳＯ3Ｍ1        （３）
（式中、Ｍ1はアルカリ金属またはＮＨ4を示し、Ｒ、Ａ1およびｍは前記と同じ）
で表される化合物を１種以上、式（４）：
ＺＯ（Ａ2Ｏ）nＳＯ3Ｍ2        （４）
（式中、Ｍ2はアルカリ金属またはＮＨ4を示し、Ｚは水素原子又はＳＯ3Ｍ3（式中、Ｍ3はアルカリ金属、ＮＨ4又は水素原子を示す）を示し、Ａ2及びｎは前記と同じ）
で表される化合物を１種以上、および水とを含むアニオン界面活性剤組成物の製造方法。
【請求項２】
式（３）の化合物、式（４）の化合物及び水の合計に対する式（３）の化合物、式（４）の化合物及び水の質量％の比が、５５〜９０：１〜２０：５〜４０である請求項１に記載のアニオン界面活性剤組成物の製造方法。
【発明の詳細な説明】
【技術分野】
【０００１】
本発明は、アニオン界面活性剤組成物の製造方法の改良に関する。詳しくは、色相が良好で該界面活性剤水溶液の液体洗浄剤への配合の自由度を狭める食塩などの無機塩の含有量が少ないアニオン界面活性剤組成物の製造方法に関する。
【背景技術】
【０００２】
高級アルコールのアルキレンオキシド付加体（オキシアルキレンアルキルエーテル）の硫酸化により得られるアルキルエーテルサルフェートは、皮膚に対する刺激が少なく、液体洗浄剤、例えば、シャンプー、医薬、化粧品用のアニオン界面活性剤として広く使用されている。
【０００３】
アルキルエーテルサルフェートは、通常、水を含有するペースト状又は液状組成物として製造されるが、その有効成分濃度は、取り扱い性、製造装置の効率、製品輸送のコスト、流動性などを考慮して出来るだけ高濃度に設定されている。アルキルエーテルサルフェート組成物の流動性は、原料高級アルコールの化学構造、オキシアルキレン基の繰返し数、未反応オキシアルキレンアルキルエーテルの量、副生アルキレンエーテルグリコール及び無機塩類等の含有量などに影響され、同一有効成分濃度においてもその流動性は著しく異なる。例えば、ドラムからアルキルエーテルサルフェート組成物の抜き出しが困難になる程流動性が低下することがあることも知られている。したがって、アルキルエーテルサルフェートの濃度を下げることなくこれを高濃度で含む組成物の流動性を改善できれば、生産効率が向上すると共に輸送コストが減少し、工業的に極めて有利である。
【０００４】
アルキルエーテルサルフェート組成物の流動性を向上させる方法としては、例えば（１）高級アルコールのアルキレンオキシド付加体であるオキシアルキレンアルキルエーテルに、分子量が６００以上、好ましくは１０００以上の低級ポリアルキレンエーテルグリコールを加え、この混合物を硫酸化、中和処理することにより、界面活性剤であるオキシアルキレンアルキルエーテルサルフェートと、粘度調整剤である低級ポリアルキレンエーテルグリコールジ硫酸エステルのモノ及び／又はジ塩を含む界面活性剤濃厚水溶液を得る方法（例えば、特許文献１参照）、（２）オキシアルキレンアルキルエーテル硫酸エステルの中和工程時又は中和後に平均分子量３００〜６０００のポリエチレングリコールを、該硫酸化物に対して０．１〜２５重量％の割合で添加する低粘度界面活性剤の製造方法（例えば、特許文献２参照）などが開示されている。
【０００５】
前記（１）の方法は、別途製造した特定の分子量を有するポリアルキルエーテルグリコールをオキシアルキレンアルキルエーテルに添加し、この混合物を硫酸化、中和することにより、オキシアルキレンアルキルエーテルサルフェートと、低級ポリアルキレンエーテルグリコールジ硫酸エステルのモノ及び／又はジ塩を同時に生成させる方法である。しかし、前記特許文献１には、オキシアルキレンアルキルエーテルに、低級ポリアルキレンエーテルグリコールを添加する際の条件については、なんら記載がない。
【０００６】
本発明者らの検討によると、オキシアルキレンアルキルエーテルを高温で長時間保存したり、オキシアルキレンアルキルエーテルに低級ポリアルキレンエーテルグリコールを混合する際の温度が高過ぎたり、混合物を調製後硫酸化までに高温度で長時間保持したりすると、オキシアルキレンアルキルエーテルのカルボニル価が高くなり、そのようなオキシアルキレンアルキルエーテルを硫酸化して得られるアルキルエーテルサルフェート組成物の色相は悪くなることが分かった。また、硫酸化の条件が不適切であると、カルボニル価が低い場合であっても、得られるアルキルエーテルサルフェート組成物の色相は悪くなることが分かった。
【０００７】
また、特許文献１の実施例によると、硫酸化にクロルスルホン酸が使用されている。クロルスルホン酸を使用した場合、最終的に得られる界面活性剤水溶液中に、アルカリ金属の塩化物が存在することになり、このものは、該界面活性剤水溶液の液体洗浄剤への配合の自由度を狭める原因となる。
【０００８】
前記（２）の方法で用いているポリエチレングリコールは、界面活性剤水溶液の流動性を向上させる効果が、前記（１）で用いている粘度調整剤に比べて低く、満足し得る方法でない。
【０００９】
【特許文献１】特開昭５６−３６５９６号公報
【特許文献２】特開昭５０−１１６３８３号公報
【発明の開示】
【発明が解決しようとする課題】
【００１０】
本発明は、アルキルエーテルサルフェート及びその流動化剤として有効なアルキレンエーテルグリコール硫酸エステルの塩を少なくとも１種含む、流動性および色相が良好で、該界面活性剤水溶液の液体洗浄剤への配合の自由度を狭める食塩などの無機塩の含有量が少ない高濃度アニオン界面活性剤組成物を、生産性よく製造する方法を提供することを目的とする。
【課題を解決するための手段】
【００１１】
本発明者らは、カルボニル価が一定値以下のオキシアルキレンアルキルエーテルとアルキレンエーテルグリコールとを特定の温度で混合し、この混合物を三酸化硫黄ガスで硫酸化し、次いで中和処理することにより、前記目的を達成し得ることを見出した。
【００１２】
すなわち、本発明は、
（Ａ）式（１）：
ＲＯ（Ａ1Ｏ）mＨ        （１）
（式中、Ｒは炭素数９〜２４の直鎖もしくは分岐鎖のアルキル基又はアルケニル基、Ａ1は炭素数２〜４のアルキレン基、ｍは平均値で０〜１００の数を示す）
で表され、カルボニル価が２μｍｏｌ／ｇ以下の化合物の１種以上と、式（２）：
ＨＯ（Ａ2Ｏ）nＨ        （２）
（式中、Ａ2は炭素数２〜４のアルキレン基、ｎは平均値で１〜１００の数を示す）
で表される化合物の１種以上とを、０〜５０℃の温度で混合する工程、
（Ｂ）前記（Ａ）工程で得られた混合物を三酸化硫黄ガスで硫酸化する工程、及び
（Ｃ）次いで、塩基性アルカリ金属化合物又はアンモニア水で中和処理する工程を含む、
少なくとも、式（３）：
ＲＯ（Ａ1Ｏ）mＳＯ3Ｍ1        （３）
（式中、Ｍ1はアルカリ金属またはＮＨ4を示し、Ｒ、Ａ1およびｍは前記と同じ）
で表される化合物を１種以上、式（４）：
ＺＯ（Ａ2Ｏ）nＳＯ3Ｍ2        （４）
（式中、Ｍ2はアルカリ金属またはＮＨ4を示し、Ｚは水素原子又はＳＯ3Ｍ3（式中、Ｍ3はアルカリ金属、ＮＨ4又は水素原子を示す）を示し、Ａ2及びｎは前記と同じ）
で表される化合物を１種以上、および水とを含むアニオン界面活性剤組成物の製造方法を提供する。
【発明の効果】
【００１３】
本発明によれば、オキシアルキレンアルキルエーテルとアルキレンエーテルグリコールとを１回の操作で硫酸化することにより、高級アルコールのアルキレンオキシド付加体のサルフェート（アルキルエーテルサルフェート）及びその流動化剤として有効なアルキレンエーテルグリコール硫酸エステルの塩を少なくとも１種含む高濃度アニオン界面活性剤組成物を製造することができる。また、三酸化硫黄ガスで硫酸化するため、該界面活性剤水溶液の液体洗浄剤への配合の自由度を狭める食塩などの無機塩の含有量が少ない。さらに、カルボニル価が一定値以下のオキシアルキレンアルキルエーテルと、アルキレンエーテルグリコールとの混合をカルボニル価が増大しないような条件で混合し、硫酸化するので色相が良好な高濃度アニオン界面活性剤組成物が得られる。
【発明を実施するための最良の形態】
【００１４】
本発明のアニオン界面活性剤組成物の製造方法は、（Ａ）高級アルコールのアルキレンオキシド付加体（オキシアルキレンアルキルエーテル、以下、ＡＥと略称）とアルキレンエーテルグリコール（以下、ＡＥＧと略称）とを混合する工程、（Ｂ）前記（Ａ）工程で得られた混合物を硫酸化する工程、及び（Ｃ）次いで、中和処理する工程を含む。
【００１５】
前記（Ａ）工程においては、式（１）：
ＲＯ（Ａ1Ｏ）mＨ        （１）
（式中、Ｒは炭素数９〜２４の直鎖もしくは分岐鎖のアルキル基又はアルケニル基、Ａ1は炭素数２〜４のアルキレン基、ｍは平均値で０〜１００の数を示す）
で表され、カルボニル価が２μｍｏｌ／ｇ以下のＡＥの１種以上と、式（２）：
ＨＯ（Ａ2Ｏ）nＨ        （２）
（式中、Ａ2は炭素数２〜４のアルキレン基、ｎは平均値で０．１〜１００の数を示す）
で表されるＡＥＧの１種以上とを、０〜５０℃の温度で混合する。
【００１６】
式（１）において、Ｒが炭素数９〜２４の範囲にあれば、得られるアルキルエーテルサルフェート（ＥＳ）の界面活性能及び水に対する溶解性のバランスが良好である。好ましい炭素数は１０〜２０である。Ｒが示すアルキル基及びアルケニル基は、直鎖、分岐鎖のいずれであってもよく、具体的には、デシル基、ドデシル基、テトラデシル基、ヘキサデシル基、オクタデシル基、イコシル基、ドコシル基、オレイル基(各置換基は、その異性体を含む)などが挙げられる。
【００１７】
Ａ1で示される炭素数２〜４のアルキレン基は、直鎖、分岐鎖状のいずれであってもよく、例えばエチレン基、プロピレン基、１−メチルトリメチレン基、トリメチレン基、テトラメチレン基などを挙げることができるが、これらの中でエチレン基及びプロピレン基が好適である。
【００１８】
ｍは、平均値で０〜１００の数であり、好ましくは０．１〜１００、より好ましくは０．５〜１０である。
【００１９】
式（２）において、Ａ2で示される炭素数２〜４のアルキレン基は、直鎖、分岐鎖状のいずれであってもよく、例えばエチレン基、プロピレン基、１−メチルトリメチレン基、トリメチレン基、テトラメチレン基などを挙げることができるが、これらの中でエチレン基及びプロピレン基が好適である。Ａ2は、式（１）のＡ1と同一であっても異なっていてもよい。
【００２０】
ｎは、平均値で１〜１００の数であり、好ましくは２〜５０、より好ましくは３〜２３である。
【００２１】
式（１）で表されるＡＥは、式（５）：
ＲＯＨ        （５）
（式中、Ｒは前記と同じ）
で表される１種以上のアルコールに、触媒の存在下、炭素数２〜４のアルキレンオキシドを接触させることにより、得ることができる。式（５）で表されるアルコールとしては、ヤシ油、パーム油、パーム核油、大豆油、ひまわり油、菜種油、牛脂などから誘導される天然アルコール、さらにはオキソ法、チーグラー法及びパラフィン直接酸化法などによって得られる合成アルコールを用いることができる。本発明においては、この天然アルコールや合成アルコールは、分留による単一の炭素数のアルコールであってもよく、炭素数が異なる混合アルコールであってもよい。
【００２２】
前記触媒としては、アルコールにアルキレンオキシドを付加する反応において用いられている公知の触媒、例えばアルカリ金属の水酸化物が好ましく用いられる。アルカリ金属の水酸化物としては、水酸化ナトリウム、水酸化カリウム、水酸化リチウムなどを例示することができ、水酸化ナトリウム及び水酸化カリウムがより好ましい。触媒は、式（５）のアルコールに対し、通常５００〜２０００ｐｐｍ程度の割合で用いるのが好ましい。また、触媒は、一般に水溶液として反応系に加える。次いで、通常減圧などの手段により脱水処理したのち、炭素数２〜４のアルキレンオキシド、具体的にはエチレンオキシド、プロピレンオキシド及びブチレンオキシドの中から選ばれる少なくとも一種、好ましくはエチレンオキシド及び／又はプロピレンオキシドを接触させることにより、式（１）で表されるＡＥが得られる。
【００２３】
アルキレンオキシドの使用量は、式（１）におけるｍの値が所望の値になるように選ばれるが、式（５）のアルコール１モルに対して、０．１〜１００モルが好ましく、０．５〜１０モルがより好ましい。反応温度は、好ましくは１００〜２００℃、より好ましくは１２０〜１８０℃であり、反応圧力は、好ましくは０．１〜４ＭＰａ、より好ましくは０．２〜１．５ＭＰａである。アルキレンオキシドの接触はアルキレンオキシドの付加反応を妨げない不活性ガス、例えば、窒素ガスなどを併用してもよい。
【００２４】
式（２）で表されるＡＥＧの製造方法に特に制限はなく、従来公知の製造方法で得られたものを用いることができる。
【００２５】
式（１）のＡＥは、高温で保存するとカルボニル価が増大し、得られるアニオン界面活性剤組成物の色相が悪化する。従って、ＡＥ製造後の保存条件を、例えば、０〜３０℃で６ヶ月以内に、０〜５０℃で１２時間以内に制限することによってカルボニル価を２．０μｍｏｌ／ｇ以下、好ましくは０．５μｍｏｌ／ｇ以下に抑えたＡＥを使用する。カルボニル価は、ＡＳＴＭ  Ｅ  ４１１に記載の方法で測定した値である。
【００２６】
上記範囲のカルボニル価を有する式（１）のＡＥと式（２）のＡＥＧとを、０〜５０℃で、好ましくは撹拌下混合して、ＡＥ／ＡＥＧの均一混合物を調製する。混合温度が前記範囲にあれば、適度の液粘度を有し、混合操作が容易であると共に、カルボニル価の上昇を抑制することができる。混合温度は、好ましくは０〜３０℃であり、より好ましくは１５〜２５℃である
【００２７】
ＡＥとＡＥＧの混合割合は、ＡＥ総量の１００質量部に対し、ＡＥＧ総量が、好ましくは０．５〜１０質量部の範囲である。ＡＥＧ総量が前記範囲にあれば、最終的に得られるアニオン界面活性剤組成物の界面活性能及び流動性が良好となる。ＡＥＧ総量は、より好ましくは１〜１０質量部であり、特に好ましくは１〜５質量部である。
【００２８】
硫酸化処理に供するＡＥ／ＡＥＧ混合物のカルボニル価は、アニオン界面活性剤組成物の色相悪化を防止する上で、２μｍｏｌ／ｇ以下であるのが好ましく、０．５μｍｏｌ／ｇ以下であるのがより好ましい。したがって、ＡＥ／ＡＥＧ混合物を調製した後、硫酸化までの間、ＡＥ／ＡＥＧ混合物のカルボニル価が、上記範囲内であるように、温度及び時間を、例えば０〜３０℃、６ヶ月以内に選定するのが好ましい。
【００２９】
（Ｂ）工程においては、前記（Ａ）工程で得たＡＥ／ＡＥＧ混合物を、三酸化硫黄ガスで硫酸化する。この三酸化硫黄ガスによる硫酸化の方法に特に制限はなく、常法にしたがって行うことができる。例えば、空気や窒素などの不活性ガスで希釈した、好ましくは濃度１〜３０容量％、より好ましくは１〜２０容量％の三酸化硫黄ガスをＡＥ／ＡＥＧ混合物に混合し、ＡＥとＡＥＧの硫酸化を行う。三酸化硫黄の濃度が１〜３０容量％の範囲であればガス容積が大きすぎることなく、また反応が過剰になるのを抑制することができる。
【００３０】
三酸化硫黄の使用量は、通常、化学量論量×（０．９５〜１．０５）の範囲である。該三酸化硫黄の使用量が上記範囲であれば、起泡性を有しない未反応ＡＥ、ＡＥＧモノ硫酸エステルの量が少なく、かつ副生物である有臭成分（例えば低級アルデヒド、低級ケトン、環状エーテルなど）の生成量も少ない。好ましい量は、化学量論量×（０．９７〜１．０１）の範囲である。
【００３１】
反応装置に特に制限はないが、例えば槽型反応装置や薄膜式反応装置などを用いることができる。薄膜式反応装置としては、例えば流下薄膜式反応装置、上昇薄膜型反応装置及び管型気液混合相流反応装置などを用いることができる。製造効率の観点からは、薄膜式反応装置による連続式を適用することが好ましい。この薄膜式反応装置の中でも、反応効率及び着色などの観点から、流下薄膜式反応装置が好ましい。薄膜式反応装置を用いた場合の反応時間は、１０〜３００秒間程度である。
【００３２】
硫酸化温度は、好ましくは１５〜７０℃、より好ましくは４０〜６０℃である。１５℃以上であれば流動性低下による局部的な反応過剰を抑制することができ、また７０℃以下にあれば生成物の分解を抑制することができる。
【００３３】
上記のようにして得られた硫酸化物を含む混合物は、気／液分離を施し、次の（Ｃ）工程において中和処理される。中和処理は、例えば、塩基性アルカリ金属化合物の水溶液、好ましくは２０〜５０質量％水溶液、又はアンモニア水、好ましくは１０〜５０質量％のアンモニア水を用いて行う。前記塩基性アルカリ金属化合物としては、水酸化ナトリウム、水酸化カリウム、水酸化リチウム、炭酸ナトリウム、炭酸カリウム、炭酸リチウムなどが例示され、水酸化ナトリウム及び炭酸ナトリウムが好ましい。
【００３４】
中和温度は、好ましくは２０〜８０℃、より好ましくは２０〜６０℃である。中和方式としては、例えば回分式中和、連続式中和などがあり、特に外部冷却装置を備えた連続循環中和方式が、中和温度を一定温度に保持し得る点からも好適に採用することができる。また、このようにして連続中和処理したのち、必要に応じ、回分操作又は連続操作で、さらにｐＨを微調整することもできる。
【００３５】
このようにして、少なくとも、式（３）：
ＲＯ（Ａ1Ｏ）mＳＯ3Ｍ1        （３）
（式中、Ｍ1はアルカリ金属またはＮＨ4を示し、Ｒ、Ａ1及びｍは前記と同じ）
で表されるアルキルエーテルサルフェート（ＥＳ）を１種以上、式（４）：
ＺＯ3ＳＯ（Ａ2Ｏ）nＳＯ3Ｍ2        （４）
（式中、Ｍ2はアルカリ金属またはＮＨ4を示し、Ｚは水素原子又はＳＯ3Ｍ3（式中、Ｍ3はアルカリ金属、ＮＨ4又は水素原子を示す）を示し、Ａ2及びｎは前記と同じ）
で表されるアルキレンエーテルグリコール硫酸エステルの塩（ＡＥＧＳ）を１種以上、および水を含むアニオン界面活性剤組成物が得られる。
なお、前記アニオン界面活性剤組成物には、未中和の硫酸化オキシアルキレンアルキルエーテル：ＲＯ（Ａ1Ｏ）mＳＯ3Ｈ、及び／又は、未中和の硫酸化アルキレンエーテルグリコール：ＨＯ（Ａ2Ｏ）nＳＯ3Ｈ、ＨＯ3ＳＯ（Ａ2Ｏ）nＳＯ3Ｈ（式中、Ｒ、Ａ、ｍ及びｎは前記と同じ）が残存していてもよい。
【００３６】
式（３）で表されるＥＳ、式（４）で表されるＡＥＧＳと水の質量％の比（ＥＳ、ＡＥＧＳ及び水の合計量に対する質量％比）は、５５〜９０：１〜２０：５〜４０が好ましく、６５〜７５：１〜５：１０〜３５がより好ましい。
【００３７】
本発明の方法により製造されたアニオン界面活性剤組成物は、式（３）で表されるＥＳを高濃度で含有していても、流動化剤として作用する式（４）で表されるＡＥＧＳが共存しているので、流動性が良好で取扱い性がよい。また、硫酸化剤として三酸化硫黄ガスを使用するので、食塩などの無機塩の生成が少ない。また、ＡＥ及びＡＥ／ＡＥＧ混合物のカルボニル価が低く抑えられ、硫酸化の条件が適切であるので色相の良好な組成物が得られる。さらに、硫酸化をガスを使用して低温で行うので、ＡＥ、ＡＥＧなどの分解を抑制することができる。
【００３８】
本発明の方法で得られたアニオン界面活性剤組成物は、液体洗浄剤組成物に好適に用いることができる。この場合、該液体洗浄剤組成物には、必要に応じて色素、香料、可溶化剤、ビルダーなどの補助剤を適宜加えることができる。さらに、洗浄力や泡立ちを調整する目的で、他のアニオン界面活性剤、カチオン界面活性剤、両性界面活性剤、アミド型非イオン界面活性剤などを添加することができる。液体洗浄剤組成物は、例えば、シャンプー、ボディシャンプー、台所用洗剤、リキッドソープなどに用いられる。
【００３９】
実施例
２０℃の水浴上で、炭素数１２／１４高級アルコールエトキシレート（酸化エチレンの平均付加モル数２．０）１００質量部に対して、平均分子量３００のポリエチレングリコールを３質量部添加し、よく撹拌した。得られた混合物のカルボニル価（ＣＯＶ）は０．６であった。混合物を薄膜式硫酸化設備を用いて、ＳＯ3ガスで硫酸化後（硫酸化設備の冷却水温度５３℃、３０秒間）、２６質量％水酸化ナトリウム水溶液中に投入し、２０〜５０℃で中和を行い、減圧下で気泡を除去し、表１に示す分析値を有するアニオン界面活性剤水溶液が得られた。
ここで得られたアニオン界面活性剤水溶液の流動性を以下に示す方法で評価した。すなわち鉛直に立てた内径１０ｍｍの円柱状のガラス管に試料水溶液を１５ｍＬ仕込み、上部に詮をして８℃で充分静置した。静置後、栓をはずして試料の下端が１０ｃｍ移動するのに要した時間を流動性の指標とした。
【００４０】
比較例
７０℃の水浴上で、炭素数１２／１４高級アルコールエトキシレート（酸化エチレンの平均付加モル数２．０）１００質量部に対して、平均分子量３００のポリエチレングリコールを３質量部添加し、よく撹拌した。得られた混合物のＣＯＶは２．２であった。実施例と同様にして、混合物を薄膜式硫酸化設備を用いて、ＳＯ3ガスで硫酸化後、水酸化ナトリウム水溶液中に投入し、中和を行い、減圧下で気泡を除去し、表１に示す分析値を有するアニオン界面活性剤水溶液が得られた。
【００４１】
【表１】
2006117770.tif 000002